(57)【特許請求の範囲】
【請求項１】
浴室内の空気を循環するための循環風路内に設けた循環ファンおよび加熱手段と、
温水および冷水を浴室空間に噴射するミスト噴射手段と、
浴室の温度を検知する浴室温度検知手段と、
噴射する温水および冷水の温度を検知する水温検知手段と、
前記浴室温度検知手段の検知した温度と前記水温検知手段の検知した温度によって前記循環ファンと前記加熱手段と前記ミスト噴射手段の動作を制御する制御手段とを備えたミストサウナ装置であって、
前記制御手段は、
入力された信号により浴室の壁面の温度を推定する壁面温度推定手段と、
前記壁面温度推定手段の推定した浴室の壁面温度によって、壁面温度が高ければ高いほどミスト噴射を開始する浴室温度の閾値を下げ、低ければ低いほど浴室温度の閾値を上げるミスト噴射閾値設定手段を備え、
運転起動時に、前記水温検知手段の検知温度が所定の値以上となり、かつ前記浴室温度検知手段の検知温度が前記閾値を超えたときに、前記ミスト噴射手段による噴射を開始させることを特徴とするミストサウナ装置。
【請求項２】
ミストサウナ装置の運転や停止を操作する運転操作手段として浴室の壁面に浴室リモコンを設置し、
前記浴室リモコンに備えられた浴室の壁面の温度を検知する温度センサから壁面温度推定手段への信号を入力することを特徴とする請求項１記載のミストサウナ装置。
【請求項３】
制御手段に季節を判別する季節判別手段を備え、
壁面温度推定手段は前記季節判別手段から信号を受けて前記季節判別手段で判別した季節をもとに壁面の温度を推定することを特徴とする請求項１または２記載のミストサウナ装置。
【請求項４】
ミストサウナ装置本体に設置し、天井裏の温度を検知する周囲温センサを有し、前記周囲温センサの検知温度により季節を判別する季節判別手段を備えたことを特徴とする請求項３記載のミストサウナ装置。
【請求項５】
カレンダー機能を備えた運転操作手段を有し、
季節判別手段は、前記運転操作手段のカレンダーの日付情報によって季節を判別することを特徴とする請求項３記載のミストサウナ装置。
【請求項６】
制御手段は前回ミスト運転終了時からの経過時間を測定する経過時間測定手段を備え、壁面温度推定手段は、経過時間測定手段から得た経過時間と季節判別手段による季節の判別結果を用いて壁面温度を推定することを特徴とする請求項４または５記載のミストサウナ装置。
【請求項７】
ユーザが体感温度に応じて、運転操作手段として設けた浴室リモコンによって入浴時の温度を設定する温度設定手段を備え、設定した温度に応じて壁面温度を推測する壁面温度推測手段を備えたことを特徴とする請求項１記載のミストサウナ装置。
【発明の詳細な説明】
【技術分野】
【０００１】
本発明は、浴室内を高温高湿なミストサウナ状態とするミストサウナ装置におけるミスト運転起動の制御に関するものである。
【背景技術】
【０００２】
従来、この種のミストサウナ装置は、ミスト運転起動時、浴室温度が所定の温度以上となるまでは暖房運転のみを行い、浴室温度が所定の温度以上となったときにミスト噴射を開始するものが知られている（例えば、特許文献１参照）。
【０００３】
以下、そのミストサウナ装置について図９を参照しながら説明する。
【０００４】
図９に示すように、浴室１０１の天井部１０２に設置されたミストサウナ装置本体１０３の内部に送風手段としての循環ファン１０４と、加熱手段１０５とを備え、浴室１０１内の空気をミストサウナ装置本体１０３内に吸い込み口１０６から取り込み、加熱手段１０５により暖められた空気が循環ファン１０４を介して吹き出し口１０７から吹き出される構成であり、また、ミストサウナ装置本体１０３の下部にはミストの噴射により浴室１０１内を加湿し、ミストサウナ状態とするためのミスト噴射手段１０８が備えられ、循環ファン１０４、加熱手段１０５、ミスト噴射手段１０８を組み合わせて駆動する制御手段１０９を備えている。ミスト運転の起動や終了は、運転操作手段１１０により操作可能である。
【０００５】
ここで、ミスト運転起動時には、浴室温度が低い場合に冷たいミストが噴射されないように、浴室温度検知手段１１１により浴室温度を検知し、浴室温度が所定の温度に満たない場合はミスト噴射手段１０８によるミストの噴射は行わず、加熱手段１０５と循環ファン１０４を駆動させる暖房運転を行い、浴室温度が所定の温度以上となったときに、ミスト噴射手段１０８の駆動を開始するものである。
【先行技術文献】
【特許文献】
【０００６】
【特許文献１】特許第４２７６５９７号公報
【発明の概要】
【発明が解決しようとする課題】
【０００７】
このような従来のミストサウナ装置においては、ミストサウナ運転起動時、ミストサウナ装置本体に取り付けたセンサによって浴室内の温度を検知し、ミスト噴射開始のタイミングを決定しているが、本体に取り付けたセンサの検知温度が同じ場合でも浴室の壁面や床付近の温度によって、ミスト噴射後の浴室温度の変化に違いが生じる。従来のミストサウナ装置では、浴室の壁面や床付近の温度を考慮してミスト噴射開始のタイミングを制御していないため、浴室内の温度条件によってはミストサウナ運転の起動が効率的でない場合があるという課題を有していた。
【０００８】
そこで本発明は、上記従来の課題を解決するものであり、ミスト運転起動時に、浴室の壁面付近の温度に応じてミスト噴射開始のタイミングを変えることにより、浴室がミストサウナ状態となるまでの時間を短縮するミストサウナ装置を提供することを目的とする。
【課題を解決するための手段】
【０００９】
そして、この目的を達成するために、本発明は、浴室内の空気を循環するための循環風路内に設けた循環ファンおよび加熱手段と、温水および冷水を浴室空間に噴射するミスト噴射手段と、浴室の温度を検知する浴室温度検知手段と、噴射する温水および冷水の温度を検知する水温検知手段と、前記浴室温度検知手段の検知した温度と前記水温検知手段の検知した温度によって前記循環ファンと前記加熱手段と前記ミスト噴射手段の動作を制御する制御手段とを備えたミストサウナ装置であって、前記制御手段は、入力された信号により浴室の壁面の温度を推定する壁面温度推定手段と、前記壁面温度推定手段の推定した浴室の壁面温度によって、壁面温度が高ければ高いほどミスト噴射を開始する浴室温度の閾値を下げ、低ければ低いほど浴室温度の閾値を上げるミスト噴射閾値設定手段を備え、運転起動時に、前記水温検知手段の検知温度が所定の値以上となり、かつ前記浴室温度検知手段の検知温度が前記閾値を超えたときに、前記ミスト噴射手段による噴射を開始させる構成としたものであり、これにより所期の目的を達成するものである。
【発明の効果】
【００１０】
本発明によれば、循環ファンと加熱手段とミスト噴射手段の動作を制御する制御手段は、入力された信号により浴室の壁面の温度を推定する壁面温度推定手段と、前記壁面温度推定手段の推定した浴室の壁面温度によって、壁面温度が高ければ高いほどミスト噴射を開始する浴室温度の閾値を下げ、低ければ低いほど浴室温度の閾値を上げるミスト噴射閾値設定手段を備え、運転起動時に、前記水温検知手段の検知温度が所定の値以上となり、かつ前記浴室温度検知手段の検知温度が前記閾値を超えたときに、前記ミスト噴射手段による噴射を開始させる構成としたことにより、運転起動時に、浴室の壁面付近の温度に応じてミスト噴射開始のタイミングを変えることができ、浴室がミストサウナ状態となるまでの時間を短縮できるので、効率的にミスト運転を起動できるという効果を得ることができる。
【図面の簡単な説明】
【００１１】
【図１】本発明の実施の形態１のミストサウナ装置の構成を示す概略図
【図２】同実施の形態１の構成を示すブロック図
【図３】同実施の形態１におけるミスト噴射閾値の決定方法を示す図
【図４】本発明の実施の形態２のミストサウナ装置の構成を示すブロック図
【図５】同実施の形態２におけるミスト噴射閾値の決定方法を示す図
【図６】同実施の形態２における壁面温度の決定方法を示す図
【図７】本発明の実施の形態３のミストサウナ装置の構成を示すブロック図
【図８】同実施の形態３におけるミスト噴射閾値の決定方法を示す図
【図９】従来のミストサウナ装置の構成を示す概略図
【発明を実施するための形態】
【００１２】
本発明の請求項１記載のミストサウナ装置は、浴室内の空気を循環するための循環風路内に設けた循環ファンおよび加熱手段と、温水および冷水を浴室空間に噴射するミスト噴射手段と、浴室の温度を検知する浴室温度検知手段と、噴射する温水および冷水の温度を検知する水温検知手段と、前記浴室温度検知手段の検知した温度と前記水温検知手段の検知した温度によって前記循環ファンと前記加熱手段と前記ミスト噴射手段の動作を制御する制御手段とを備えたミストサウナ装置であって、前記制御手段は、入力された信号により浴室の壁面の温度を推定する壁面温度推定手段と、前記壁面温度推定手段の推定した浴室の壁面温度によって、壁面温度が高ければ高いほどミスト噴射を開始する浴室温度の閾値を下げ、低ければ低いほど浴室温度の閾値を上げるミスト噴射閾値設定手段を備え、運転起動時に、前記水温検知手段の検知温度が所定の値以上となり、かつ前記浴室温度検知手段の検知温度が前記閾値を超えたときに、前記ミスト噴射手段による噴射を開始させることを特徴とするものである。これにより、運転起動時に、ミスト噴射閾値設定手段は、壁面温度推定手段が推定した浴室の壁面の温度に応じて、ミスト噴霧手段を動作させる浴室の温度の閾値を決定し、制御手段は水温検知手段の検知温度が所定の値以上となり、かつ浴室温度検知手断の検知した浴室の温度が前記閾値を超えたときにミストを噴射することとなり、推定された浴室壁面の温度によってミスト噴射開始のタイミングを変えることができるので、浴室がミストサウナ状態となるまでの時間を短縮でき、効率的にミスト運転を起動できるという効果を奏する。
【００１３】
また、壁面付近の温度が低く、ミスト噴射後の浴室温度が上がりにくい場合には噴射を遅らせ、壁面付近の温度が高く、ミスト噴射後の浴室温度が上がりやすい場合には噴射を早めることができ、効率的にミスト運転を起動できるという効果を奏する。
【００１４】
また、ミストサウナ装置の運転や停止を操作する運転操作手段として浴室の壁面に浴室リモコンを設置し、前記浴室リモコンに備えられた浴室の壁面の温度を検知する温度センサから壁面温度推定手段への信号を入力することを特徴とするものである。これにより、温度センサにより壁面付近の温度を検知し、壁面温度推定手段は壁面の温度をより正確に推定し、ミスト噴射閾値設定手段によって閾値を設定することができるため、効率的にミスト運転を起動できるという効果を奏する。
【００１５】
また、制御手段に季節を判別する季節判別手段を備え、壁面温度推定手段は前記季節判別手段から信号を受けて前記季節判別手段で判別した季節をもとに壁面の温度を推定することを特徴とするものである。これにより、壁面温度推定手段は、入力された季節判別手段の信号により壁面の温度を推定して、ミスト噴射閾値設定手段によって閾値を設定することとなるので、ミスト噴射開始のタイミングを季節によって決定することができ、効率的にミスト運転を起動できるという効果を奏する。
【００１６】
また、ミストサウナ装置本体に設置し、天井裏の温度を検知する周囲温センサを有し、前記周囲温センサの検知温度により季節を判別する季節判別手段を備えたことを特徴とするものである。これにより、季節判別手段は、ミストサウナ装置本体に設置した周囲温センサが検知した天井裏の温度から季節を判別することができ、壁面温度推定手段は、季節判別手段から入力された信号により壁面の温度を推定して、ミスト噴射閾値設定手段によって閾値を設定することとなるので、季節によってミスト噴射開始のタイミングを決定することができ、効率的にミスト運転を起動できるという効果を奏する。
【００１７】
また、カレンダー機能を備えた運転操作手段を有し、季節判別手段は、前記運転操作手段のカレンダーの日付情報によって季節を判別するものである。これにより、カレンダーの日付を合わせておくことで、季節判別手段はカレンダーの日付情報によって季節の判別を行うこととなり、壁面温度推定手段は、季節判別手段から入力された信号により壁面の温度を推定して、ミスト噴射閾値設定手段によって閾値を設定することとなるので、季節によってミスト噴射開始のタイミングを決定することができ、効率的にミスト運転を起動できるという効果を奏する。
【００１８】
また、制御手段は前回ミスト運転終了時からの経過時間を測定する経過時間測定手段を備え、壁面温度推定手段は、経過時間測定手段から得た経過時間と季節判別手段による季節の判別結果を用いて壁面温度を推定することを特徴とするものである。これにより、壁面温度推測手段は、温度設定手段によりユーザが体感温度に応じて設定した温度をもとに壁面温度を推測し、ミスト噴射閾値設定手段によって閾値を設定することとなるので、ミスト噴射開始のタイミングを変えることができ、効率的にミスト運転を起動できるという効果を奏する。
【００１９】
また、ユーザが体感温度に応じて、運転操作手段として設けた浴室リモコンによって入浴時の温度を設定する温度設定手段を備え、設定した温度に応じて壁面温度を推測する壁面温度推測手段を備えたことを特徴とするものである。これにより、壁面温度推測手段は、温度設定手段によりユーザが体感温度に応じて設定した温度をもとに壁面温度を推測し、ミスト噴射閾値設定手段によって閾値を設定することとなるので、ミスト噴射開始のタイミングを変えることができ、効率的にミスト運転を起動できるという効果を奏する。
【００２０】
以下、本発明の実施の形態について図面を参照しながら説明する。
【００２１】
（実施の形態１）
図１に示すように、浴室１の天井部に設置されたミストサウナ装置本体２は、浴室１の空気を循環する循環風路内に設けた循環ファン３と、この循環ファン３で循環する空気を暖める加熱手段４と、ミストを噴射して浴室空間を加湿するミスト噴射手段５を備えている。循環ファン３は、クロスフローファンやシロッコファンなどである。加熱手段４は、給湯装置などを介して温水の循環供給を受ける熱交換器を利用するもの、あるいは、ＰＴＣヒータなどのヒータで構成する。ミスト噴射手段５は水道や給湯装置などにより供給された冷水または温水を、噴射ノズルなどにより微細化して浴室内に噴射する構成のものである。ミスト噴射手段５の手前には、噴射する冷水または温水の温度を検知する水温検知手段６を設けている。ミストサウナ装置本体２の下面には、浴室１へ開口して浴室１の空気を吸いこむ吸い込み口７と、浴室１へ空気を吹き出す吹き出し口８を備えている。吸い込み口７付近には、浴室の温度を検知するサーミスタなどの浴室温度検知手段９が設けられ、また、ミストサウナ装置本体２には、これら循環ファン３、加熱手段４、ミスト噴射手段５を組み合わせて駆動する制御手段１０を備えている。ミスト運転の起動や終了は、浴室リモコンなどの運転操作手段１１により操作可能である。
【００２２】
図２は、本発明実施の形態１におけるミストサウナ装置の構成を表すブロック図である。制御手段１０は、入力された信号により浴室の壁面の温度を推定する壁面温度推定手段１２と、壁面温度推定手段１２の推定した浴室の壁面温度によってミスト噴射手段５を動作させる浴室の温度の閾値を決定するミスト噴射閾値設定手段１３を備えている。運転操作手段１１として浴室内の壁面に設けた浴室リモコンには、壁面の温度を検知する温度センサ１４が設けられ、壁面温度推定手段１２では、温度センサの検知内容を入力信号として壁面温度を推定する。運転起動時、制御手段１０は水温検知手段６の検知温度が所定の値以上となり、かつ浴室温度検知手段９の検知温度が前記閾値を超えたときに、ミスト噴射手段５による噴射を開始させる。
【００２３】
このようなミストサウナ装置において、ミスト噴射後の浴室の空気は湿度が非常に高くなり、浴室内の温度分布が一様になりやすい。そのため、浴室温度検知手段９の検知する温度が等しくても、壁面や床付近の空気の温度によって、その後の温度変化に違いが生じる。すなわち、浴室の壁面や床付近の温度が高い場合と低い場合では、低い場合の方が壁面付近の冷たい空気と混ざり合って浴室全体の温度が下がる傾向があり、ミスト噴射後の浴室内の温度は上がりにくくなる。従来のミストサウナ装置においては、運転起動時に浴室温度検知手段９によって検知した浴室温度がある閾値以上になったときに、ミスト噴射手段５による噴射を開始する構成となっており、この閾値は浴室の壁面の温度によらず一定であったため、浴室内が高温高湿のミストサウナ状態となるまでに時間がかかり、運転の起動が効率的でない場合があった。
【００２４】
そこで、本実施の形態のように壁面温度推定手段１２を設け、壁面温度推定手段１２で推定した壁面温度に応じて、ミスト噴射閾値設定手段１３によってミスト噴射を開始する浴室温度の閾値を変更することが有効である。
【００２５】
このような構成とすることにより、壁面付近の温度に関わらずミストサウナ状態となるまでの時間を短縮でき、効率的に運転を起動できる。以下、その詳細な流れについて説明する。
【００２６】
浴室リモコンなどの運転操作手段１１によって運転開始の命令を受けたミストサウナ装置本体２は、まず加熱手段４を駆動する。加熱手段４の駆動を開始してから一定時間（例えば２０秒）後に、循環ファン３を駆動する。このとき、循環ファン３のファン速は通常運転中のファン速よりも小さい値からスタートし、徐々に風量を上げるようにする。循環ファン３の駆動を開始後、浴室温度検知手段９は、一定時間（例えば２０秒）ごとに浴室の温度を検知する。また、運転開始時に、浴室リモコンに設けた温度センサ１４により、浴室の壁面温度を検知する。壁面温度推定手段１２では、温度センサ１４からの信号をもとに壁面の温度を推定する。ミスト噴射閾値設定手段１３では、図３に示すように、壁面温度推定手段１２で推定した壁面温度をもとに、壁面温度が高ければ高いほどミスト噴射を開始する浴室温度の閾値が下がり、低ければ低いほど閾値が上がるように、閾値を決定する。
【００２７】
同時に、水温検知手段６によって噴射前の冷水または温水の温度を検知しておく。制御手段１０では、水温検知手段６によって検知された水温が一定の温度（例えば温水ミストの場合は５０度）以上となり、かつ浴室温度検知手段９によって検知された浴室温度がミスト噴射閾値設定手段１３によって設定したミスト噴射の閾値以上の値となったときに、ミスト噴射手段５によって冷水または温水を微細化して浴室内に噴射することにより、ミスト運転を開始する。
【００２８】
以上のように、推定した壁面温度によってミスト噴射の閾値を変えることにより、壁面の温度が低く、ミスト噴射後の浴室内の温度が上がりにくい場合にはミスト噴射のタイミングを遅らせ、壁面の温度が高く、ミスト噴射後の浴室内の温度が上がりやすい場合にはミスト噴射のタイミングを早めることができ、浴室の壁面温度に関わらず、効率的にミストサウナ装置を起動できる。
【００２９】
（実施の形態２）
本発明の実施の形態２について図４を参照しながら説明する。なお、図４（ａ）、（ｂ）において、図２と同様の構成要素については同一の符号を付し、その詳細な説明は省略する。図４（ａ）、（ｂ）に示すように、実施の形態２のミストサウナ装置の構成は、実施の形態１のミストサウナ装置の構成に対して、制御手段１０内に季節判別手段１５をさ
らに設け、壁面温度推定手段１２への入力として、季節判別手段１５からの信号を用いる構成となる。季節判別手段１５では判別した季節を示す信号を壁面温度推定手段１２へ入力することにより、壁面温度推定手段１２では判別された季節をもとに浴室の壁面温度を推定する。このような構成によれば、壁面の温度を直接検知する必要がなく、季節を判別することによって季節ごとに壁面温度を推定してミスト噴射手段５を動作させる浴室の温度の閾値を決定することでミスト噴射開始のタイミングを変えることができ、効率的な運転の起動ができる。
【００３０】
図４（ａ）は、季節判別手段１５における季節の判別方法として、天井裏の温度を検知する周囲温センサ１６を設け、周囲温センサ１６によって検知した温度をもとに季節を判別するものである。図４（ｂ）は、季節判別手段１５における季節の判別方法として、運転操作手段１１として設けた浴室リモコンに、カレンダー機能を搭載し、カレンダーの日付によって季節を判別するものである。
【００３１】
図４（ａ）において、周囲温センサ１６は、空調されない天井裏の温度を検知するものであるため、外気の温度に近い値が検知できる。例えば、周囲温センサ１６の検知温度が１０℃未満の場合を「冬季」、２５℃以上の場合を「夏季」、１０℃以上２５℃未満の場合を「中間期」と判別するように決めておき、運転開始時に、季節判別手段１５では、周囲温センサ１６の値によって季節を判別する。また、壁面温度推定手段１２では、季節判別手段１５の判別結果に基づいて、壁面の温度を「冬季」、「中間期」、「夏季」、に対応する３段階で推定する。図５は、「冬季」、「中間期」、「夏季」に対応する壁面の温度をそれぞれＷＴｗ［℃］、ＷＴｓ［℃］、ＷＴｍ［℃］としたとき、実施の形態１で説明した図３をもとに、季節の判別結果に応じて壁面温度推定手段１２で推定した壁面温度からミスト噴射閾値設定手段１３によって閾値を設定する方法を示したものである。図５において、例えば、季節判別手段１５によって「冬季」と判別された場合、ミスト噴射閾値設定手段１３によって設定される閾値は、Ｔｃ［℃］となり、季節判別手段１５によって「夏季」と判別された場合、ミスト噴射閾値設定手段１３によって設定される閾値は、Ｔａ［℃］となる。このように、壁面の温度が低い冬季では、ミスト噴射開始の閾値を上げ、壁面の温度が高い夏季では、ミスト噴射開始の閾値を下げることができる。
【００３２】
図４（ｂ）は、図４（ａ）と同様の流れで、季節判別手段１５からの信号をもとに壁面温度推定手段１２で壁面の温度を推定し、その値からミスト噴射閾値設定手段１３でミスト噴射閾値を設定するものであるが、季節判別手段１５への入力として、周囲温センサ１６の代わりに、運転操作手段１１である浴室リモコンに備えたカレンダーの日付情報１７を用いる。このとき、季節判別手段１５では、例えば、１２月から２月を「冬季」、６月から８月を「夏季」、３月から５月または９月から１１月を「中間期」と判別するように決めておき、運転開始時に、浴室リモコンよりその日の日付を示す日付情報１７を取得し、得られた日付情報１７をもとに季節を判別する。
【００３３】
また、図４（ａ）、（ｂ）において、制御手段１０内に、前回ミスト運転終了時からの経過時間を測定する経過時間測定手段１８を備え、前回ミスト運転終了からの時間が所定の時間以内に再度運転が開始された場合、壁面温度推定手段１２では、経過時間測定手段１８で測定した経過時間と季節判別手段１５による季節の判別結果を用いて壁面温度を推定する。前回の運転終了から所定の時間が経過し、前回運転による壁面温度の上昇の影響が十分小さくなった場合、壁面温度推定手段１２で推定する壁面温度は、季節判別手段１５の判別した季節ごとに一意となる。図６は、「冬季」、「中間期」、「夏季」のそれぞれに対して、運転終了からの経過時間と壁面温度の関係を示す図である。例えば、運転開始時に、季節判別手段１５の判別結果が「冬季」であり、経過時間測定手段１８の計測結果が前回運転終了からｔ分後であった場合、壁面温度推定手段１２において推定される壁面温度はα［℃］となる。
【００３４】
以上のように、季節を判別し、判別した結果を用いてミスト噴射のタイミングを変更することによって、効率的に運転を起動できる。
【００３５】
（実施の形態３）
本発明の実施の形態３について図７を参照しながら説明する。なお、図７において、図２と同様の構成要素については同一の符号を付し、その詳細な説明は省略する。図７に示すように、実施の形態３のミストサウナ装置の構成は、実施の形態１のミストサウナ装置の構成に対して、ユーザが体感温度に応じて入浴時の温度を設定する温度設定手段１９を設け、壁面温度推定手段１２へ信号を入力するものとして、温度センサ１４に代えて温度設定手段１９を用いる構成とする。温度設定手段１９は、運転操作手段１１として設けた浴室リモコンに備え、ユーザは体感温度に応じて入浴時の温度を設定する。このような構成によれば、壁面の温度を直接検知しなくとも、壁面の温度と相関のあるユーザの体感温度を用いることにより、体感温度に応じてミスト噴射開始のタイミングを変えることができるため、効率的な運転の起動ができる。
【００３６】
図７の構成において、温度設定手段１９によって設定する温度は、例えば、「温度１」から「温度５」まで５段階で設定できるようにし、設定した温度に応じて壁面温度推定手段１２で壁面の温度を５段階で推定する。ユーザは、運転開始時にその日の体感温度を、最も寒い段階を「温度１」、最も暑い段階を「温度５」として５段階で評価し、温度設定手段１９によって入力する。図８は、ユーザが温度設定手段１９によって設定した「温度１」、「温度２」、「温度３」、「温度４」、「温度５」に対応する壁面の温度をそれぞれＷＴ１［℃］、ＷＴ２［℃］、ＷＴ３［℃］、ＷＴ４［℃］、ＷＴ５［℃］としたとき、実施の形態１で説明した図３をもとに、温度設定手段１９による設定温度に応じて壁面温度推定手段１２で推定した壁面温度からミスト噴射閾値設定手段１３によって閾値を設定する方法を示したものである。図８において、例えば、温度設定手段１９による設定温度が「温度１」であった場合、ミスト噴射閾値設定手段１３によって設定される閾値は、Ｔ１［℃］となる。このように、ユーザの体感温度が低く、壁面温度も低いと推定される場合にはミスト噴射開始の閾値を上げ、ユーザの体感温度が高く、壁面温度も高いと推定される場合にはミスト噴射開始の閾値を下げることができる。
【００３７】
以上のように、ユーザが体感温度に応じて入力した設定温度を用いてミスト噴射のタイミングを変更することによって、効率的に運転を起動できる。
【産業上の利用可能性】
【００３８】
本発明にかかるミストサウナ装置は、浴室の壁面温度を可能とするものであるので、電気式や温水式に関わらず、ミストサウナ装置全般に有用である。
【符号の説明】
【００３９】
１  浴室
２  ミストサウナ装置本体
３  循環ファン
４  加熱手段
５  ミスト噴射手段
６  水温検知手段
７  吸い込み口
８  吹き出し口
９  浴室温度検知手段
１０  制御手段
１１  運転操作手段
１２  壁面温度推定手段
１３  ミスト噴射閾値設定手段
１４  温度センサ
１５  季節判別手段
１６  周囲温センサ
１７  日付情報
１８  経過時間測定手段
１９  温度設定手段
１０１  浴室
１０２  天井部
１０３  ミストサウナ装置本体
１０４  循環ファン
１０５  加熱手段
１０６  吸い込み口
１０７  吹き出し口
１０８  ミスト噴射手段
１０９  制御手段
１１０  運転操作手段
１１１  浴室温度検知手段
【図１】
0005870242.tif 000002
【図２】
0005870242.tif 000003
【図３】
0005870242.tif 000004
【図４】
0005870242.tif 000005
【図５】
0005870242.tif 000006
【図６】
0005870242.tif 000007
【図７】
0005870242.tif 000008
【図８】
0005870242.tif 000009
【図９】
0005870242.tif 000010